(57)【特許請求の範囲】
【請求項１】
口頸部を起立する容器体(１)と、該口頸部へ嵌合させた筒状の中栓部材(11)と、該中栓部材上方に起立する係合筒(17)外面へ、頂壁(25)中央部をノズル(26)とした周壁(24)下端部を回動可能に嵌合させると共に、上記中栓部材(11)内へカバー筒(22)を垂設する計量部材(21)と、計量部材内で上方付勢されて起立する有頂栓(35)でノズル(26)を密閉する栓付き部材(31)とからなり、中栓部材(11)に対する計量部材(21)の回動で中栓部材とカバー筒(22)とに穿設した第１、第２透孔(15、27)が連通し、又遮断可能となし、該遮断により上記中栓部材と計量部材とが形成する計量室が密閉され、又上記有頂栓(35)はノズルを貫通させて上方まで突出させ、該突出部分押下げにより有頂栓に設けた流路内を通って計量室内液体が流出可能に形成した定量塗布容器において、
上記中栓部材(11)を、容器体口頸部へ嵌合させた装着筒(12)から内向きフランジ(13)を介して垂下させた有底栓筒(14)底板の中央部から有頂小筒(16)を起立させて形成し、又計量部材(21)は連通孔(28)付き底板中央部を開口させて該開口の周縁から上記有頂小筒外面へ回動可能に嵌合させてカバー筒(22)を垂下させ、それ等両筒に第１、第２透孔(15、27)を穿設した
ことを特徴とする定量塗布容器。
【請求項２】
上記計量部材(21)をノズル(26)付きの周壁(24)部分と、カバー筒(22)付き底板部分との二部材で形成して、底板外周から起立した嵌合筒(23)を上記周壁(24)内面へ嵌着させて形成した
ことを特徴とする請求項１記載の定量塗布容器。
【請求項３】
栓付き部材(31)を計量部材の周壁(24)下部内へ嵌合させた短筒(32)から起立させた上部小径のテーパ状バネ(33)上端から上部小径のテーパ状筒部(34)を上方突出させると共に該テーパ状筒部上端から有頂栓(35)を起立させて形成し、上記テーパ状筒部(34)の外面をノズル(26)下端面へ水密に当接させて有頂栓(35)をノズル内へ貫通させ、栓付き部材を合成樹脂材で一体成形した
ことを特徴とする請求項１又は２記載の定量塗布容器。
【請求項４】
頂壁(42)外周から計量部材(21)の周壁(24)外面へ嵌合させる第１周壁(43)を垂下させると共に該第１周壁中間部から拡開壁部を介して、中栓部材の装着筒(12)外面へ螺合させる雌ねじ筒(45)を垂下し、該雌ねじ筒(45)の締付け完了に先だち計量部材周壁(24)の下端外面に付設した突子(24ｂ)が第１周壁下端内面に穿設した縦溝(43ａ)内へ入って、これ等突子(24ｂ)と縦溝(43ａ)との係合によりキャップ(41)と計量部材(21)とが共に螺動した後に締付けが完了して、このとき第１、第２透孔(15、27)が連通し、又該キャップ締付け状態からのキャップ螺脱により約90度計量部材(21)が回動したとき上記縦溝(43ａ)から突子(24ｂ)が外れて、このとき上記第１、第２透孔(15、27)が遮断可能に形成した
ことを特徴とする請求項１、２、又は３記載の定量塗布容器。
【発明の詳細な説明】
【技術分野】
【０００１】
本発明は定量の液体を塗布できるよう設けた容器に関する。
【背景技術】
【０００２】
容器体上部にノズル付き計量筒を設け、容器体を倒立させると計量筒が形成する計量室内に液体が入り、該倒立状態から計量筒上方へ突出するノズル押込みによって容器体内と計量室内とが遮断されて、該計量室内液体がノズルから流出するよう設けた容器が知られている（特許文献１）。
【特許文献１】特開２００２−３３７９１０号公報
【発明の開示】
【発明が解決しようとする課題】
【０００３】
上記従来容器は、ノズル押込みによって該ノズル下部に設けた弁板で容器体内と計量室内とを連通する通路を遮断して計量室内の計量液体をノズルから流出させるから、流出する液体量が多くなり易く、従って少量液体を流出させて塗布する場合には適当ではなかった。
【０００４】
本発明はノズル内に上方付勢された栓を貫通させ、ノズル上方へ突出する栓上端部を容器倒立状態で被塗布面へ押付けすると栓に設けられた流路を通って計量室内液体が流出し、その押付けを離すと上記流路が閉塞されて、容器倒立状態のままでも液体流出は停止し、このようにして短時間栓上端を被塗布面へ押付けることで少量の、又栓上端を被塗布面へ押付けたままとすることで比較的多量の液体塗布が出来るよう設けたものである。
【課題を解決するための手段】
【０００５】
第１の手段として、口頸部を起立する容器体１と、該口頸部へ嵌合させた筒状の中栓部材11と、該中栓部材上方に起立する係合筒17外面へ、頂壁25中央部をノズル26とした周壁24下端部を回動可能に嵌合させると共に、上記中栓部材11内へカバー筒22を垂設する計量部材21と、計量部材内で上方付勢されて起立する有頂栓35でノズル26を密閉する栓付き部材31とからなり、中栓部材11に対する計量部材21の回動で中栓部材とカバー筒22とに穿設した第１、第２透孔15、27が連通し、又遮断可能となし、該遮断により上記中栓部材と計量部材とが形成する計量室が密閉され、又上記有頂栓35はノズルを貫通させて上方まで突出させ、該突出部分押下げにより有頂栓に設けた流路内を通って計量室内液体が流出可能に形成した定量塗布容器において、
上記中栓部材11を、容器体口頸部へ嵌合させた装着筒12から内向きフランジ13を介して垂下させた有底栓筒14底板の中央部から有頂小筒16を起立させて形成し、又計量部材21は連通孔28付き底板中央部を開口させて該開口の周縁から上記有頂小筒外面へ回動可能に嵌合させてカバー筒22を垂下させ、それ等両筒に第１、第２透孔15、27を穿設した。
【０００７】
第２の手段として、上記第１の手段を有すると共に上記計量部材21をノズル26付きの周壁24部分と、カバー筒22付き底板部分との二部材で形成して、底板外周から起立した嵌合筒23を上記周壁24内面へ嵌着させて形成した。
【０００８】
第３の手段として、上記第１又は第２の手段を有すると共に栓付き部材31を計量部材の周壁24下部内へ嵌合させた短筒32から起立させた上部小径のテーパ状バネ33上端から上部小径のテーパ状筒部34を上方突出させると共に該テーパ状筒部上端から有頂栓35を起立させて形成し、上記テーパ状筒部34の外面をノズル26下端面へ水密に当接させて有頂栓35をノズル内へ貫通させ、栓付き部材を合成樹脂材で一体成形した。
【０００９】
第４の手段として、上記第１、第２、又は第３の手段を有すると共に頂壁42外周から計量部材21の周壁24外面へ嵌合させる第１周壁43を垂下させると共に該第１周壁中間部から拡開壁部を介して、中栓部材の装着筒12外面へ螺合させる雌ねじ筒45を垂下し、該雌ねじ筒45の締付け完了に先だち計量部材周壁24の下端外面に付設した突子24ｂが第１周壁下端内面に穿設した縦溝43ａ内へ入って、これ等突子24ｂと縦溝43ａとの係合によりキャップ41と計量部材21とが共に螺動した後に締付けが完了して、このとき第１、第２透孔15、27が連通し、又該キャップ締付け状態からのキャップ螺脱により約90度計量部材21が回動したとき上記縦溝43ａから突子24ｂが外れて、このとき上記第１、第２透孔15、27が遮断可能に形成した。
【発明の効果】
【００１０】
請求項１記載の構成とすることで、容器体を倒立させて第１、第２透孔15、27を通って容器体内液体を周壁24内面が形成する液溜め室内へ充満させた後、容器体を正立に倒し計量部材21を回せば図４のように上記両透孔は閉塞されて計量液体が残り、図５のように再度容器体を倒立させて有頂栓35を頭部等の被塗布面へ押付けることで計量液体を縦溝状の流路35ａを通って流出させることが出来、その押付けを短時間とすれば少量の、又長くすれば多くの液体を流出させることが出来、その流出量を自由に調整できる便利がある。
【００１１】
また請求項１のようにすることで、有頂小筒16およびカバー筒22は計量筒外径よりもごく小径とできるから、上記有頂小筒およびカバー筒の摩擦抵抗に比して計量筒回転のトルクを大とすることが出来、その回動が容易である。
【００１２】
請求項２のようにすることで、計量部材の成形が容易である。
【００１３】
請求項３のようにすることで、栓付き部材の形成が容易であり、又バネは合成樹脂製のため、液体に濡れても発錆するおそれがなく、液体に悪影響を残さない。
【００１４】
請求項４のようにすることで、キャップ螺合の締付けを実施したとき、第１、第２透孔は連通しているから、そのキャップ締付けのままで容器体を倒立させれば図２が示すように計量筒内へ液体が入り又図３のように正立に倒せば余分の液体は第１第２透孔を通って容器体内へ戻ることで、一定の計量液体だけが有底栓筒内へ残ることとなり、該状態からキャップを外すだけで図４のように第１、第２透孔は遮断されるから、そのまま図５のように塗布を行うことが出来、容器体内と計量室内との連通および遮断の操作を容易とすることが出来る。
【発明を実施するための最良の形態】
【００１５】
以下図面について説明すると、１は胴部上端から肩部を介して口頸部を起立する容器体である。
【００１６】
その口頸部外面へは、中栓部材11の装着筒12を嵌合させている。該嵌合は螺合や、アンダーカットで行うとよく、図示例では装着筒下端から外向きフランジを介して大径筒部を垂下させている。
【００１７】
装着筒上端からは内向きフランジ13を介して有底栓筒14を垂下させ、該有底栓筒底板の中央部からは第１透孔15付きの有頂小筒16を起立し、又有底栓筒周壁を上方へ延長突出させて係合筒17とし、更に内向きフランジ13下面からは口頸部内面へ水密に嵌合させてシール筒を垂下する。
【００１８】
上記中栓部材11には、計量部材21を取付けする。該計量部材は、図示例において上部材と下部材とを嵌合させて形成しており、下部材は、底板中央部を開口させてその周縁からカバー筒22を垂下させ、かつ底板外周から嵌合筒23を起立させて形成している。カバー筒22は既述有頂小筒16外面へ回動可能に嵌合させている。
【００１９】
上部材は、ドーム状の周壁24を有し、その頂壁25中央部を開口し、その開口周縁からノズル26を起立している。その周壁24の下部内面へ上記嵌合筒23を回動不能に嵌合させて、それ等上下二部材を一体的に連結する。その周壁24は下方まで垂下させて、その下端内面に付設した突条24ａを、係合筒17上端外面に付設した突条17ａ下面へ係合させ、係合筒に対して計量部材21上部が上方へ抜出ししないよう設けている。又上記カバー筒22には中栓部材11に対する計量部材21の正逆ないし一方向回転によって第１透孔15と連通し、又遮断する第２透孔27を、又底板には連通孔28を、それぞれ穿設している。
【００２０】
既述嵌合筒23内面へは短筒32を嵌合させ、該短筒上端から上部小径のテーパ状バネ33を起立し、該バネ上端から上部小径のテーパ状筒部34を介して外面に縦溝35ａを有する有頂栓35を起立し、該有頂栓をノズル26内へ貫通させてその有頂栓上端部をノズル上方まで突出させて、栓付き部材31を形成している。該栓付き部材は合成樹脂材で一体成形することが望ましい。上記テーパ状筒部34はその外面をノズル26の下端面へ水密に圧接させて弁とし、該弁は有頂栓上端部押下げで開弁する。
【００２１】
41はキャップで頂壁42外周から第１周壁43を垂下させ、又周壁中間部から下外方への拡開壁部44を介して雌ねじ筒45を垂下させ、該雌ねじ筒を装着筒12外面へ付設した雄ねじへ螺合させている。該装着筒外面への雌ねじ筒締付け状態において、第１周壁43下端面は計量部材周壁24の下端面とほぼ同じ高さに位置し、かつこのとき計量部材周壁下端外面へ付設した突子24ｂが、第１周壁43の内面に設けた縦溝43ａ下端面へ係合するよう設けている。このようにすることで、図１が示すキャップ螺合状態から図４のようにキャップを螺脱したとき計量部材21は突子24ｂが縦溝43ａから外れるまでキャップと共に螺動することで、約90度回転して既述第１透孔15と第２透孔27とは位置ずれにより遮断され、又再びキャップを螺合したとき、締付け完了に先だち、上記縦溝43ａ内へ突子24ｂが入り、その締付け完了により計量部材21は約90度回転してこのとき第１、第２透孔15、27は図１が示すように重なって連通する。
【００２２】
頂壁42の中央部からは覆合筒46を垂下させてノズル26外面へ遊嵌させ、キャップ締付け状態で覆合筒下端面がノズル下端外周の頂壁部分上面へ当接するよう設けている。
【図面の簡単な説明】
【００２３】
【図１】本発明容器の縦断面図である。
【図２】容器体倒立状態での断面図である。
【図３】図２状態から容器体を正立状態に戻した状態を示す断面図である。
【図４】図３状態からキャップを螺脱した状態を示す断面図である。
【図５】有頂栓を被塗布面へ押付けた状態を示す断面図である。
【符号の説明】
【００２４】
11 中栓部材 12 装着筒
14 有底栓筒 15 第１透孔
16 有頂小筒 17 係合筒
21 計量部材 22 カバー筒
24 周壁 25 頂壁
26 ノズル 27 第２透孔
28 連通孔 31 栓付き部材
34 テーパ状筒部 35 有頂栓
35ａ縦溝 41 キャップ
43 第１周壁 43ａ縦溝
44 拡開壁部  46 覆合筒
【図１】
0004666481.tif 000002
【図２】
0004666481.tif 000003
【図３】
0004666481.tif 000004
【図４】
0004666481.tif 000005
【図５】
0004666481.tif 000006